(57)【特許請求の範囲】
【請求項１】
チェックシートの画像を取り込んで表示する画像表示部と、
前記画像を用いた作業内容の記録に利用する記録領域を示すオブジェクトの前記画像上への配置をユーザ操作に基づいて決定するオブジェクト配置決定部と、
前記オブジェクトの識別情報と、前記オブジェクトの前記画像における位置と、前記画像の識別情報とを対応付けた作業管理情報を登録し、前記オブジェクトが示す記録領域への入力情報の識別情報をさらに含めた作業管理情報を登録する作業管理情報作成部と、
前記画像の識別情報の選択に基づいて、当該画像の識別情報を含む前記作業管理情報に含まれる前記画像であって、当該画像における前記位置に基づいて前記オブジェクトが表示される前記画像を出力し、ユーザの前記作業管理情報を用いた作業記録の操作に基づく前記オブジェクトへの入力情報の識別情報が、前記作業管理情報に含まれる入力情報の識別情報に一致するか否かに応じて、前記入力情報を前記オブジェクトへの作業内容の記録として登録するか否かを判定する作業管理部と、
を備え、
前記入力情報の識別情報は、数値の上限と下限である、
作業管理装置。
【請求項２】
前記作業管理情報作成部は、
前記オブジェクトが示す記録領域への入力が許されるユーザの属性情報をさらに含めた作業管理情報を登録し、
前記作業管理部は、
ユーザの前記作業管理情報を用いた作業記録の操作に基づく前記オブジェクトへの入力情報における当該ユーザの属性情報と、前記作業管理情報に含まれるユーザの属性情報との比較に基づいて、当該入力情報を前記オブジェクトへの作業内容の記録として登録するか否かを判定する、
請求項１に記載の作業管理装置。
【請求項３】
前記作業管理情報作成部は、
前記チェックシートの画像を用いたチェック作業に必要な他の情報を記憶するデータベースへのリンクを示すリンクオブジェクトをさらに含めた作業管理情報をユーザ操作に基づいて登録し、
前記作業管理部は、
前記オブジェクトが表示される前記画像において前記リンクオブジェクトの選択操作を検知した場合には、当該オブジェクトが示すデータベースの情報を取得して出力する、
請求項１または請求項２に記載の作業管理装置。
【請求項４】
前記作業管理部は、
前記チェックシートの画像を用いた作業内容の記録の開始時刻と終了時刻を登録し、前記ユーザ操作に基づいて、前記チェックシートの画像の識別情報を指定した作業時間の表示指示を受け付けた場合には、当該画像について登録された前記開始時刻と前記終了時刻に基づいて算出した作業時間を出力する、
請求項２または請求項３に記載の作業管理装置。
【請求項５】
チェックシートの画像を取り込んで表示すること、
前記画像を用いた作業内容の記録に利用する記録領域を示すオブジェクトの前記画像上への配置をユーザ操作に基づいて決定すること、
前記オブジェクトの識別情報と、前記オブジェクトの前記画像における位置と、前記画像の識別情報とを対応付けた作業管理情報を登録し、前記オブジェクトが示す記録領域への入力情報の識別情報をさらに含めた作業管理情報を登録すること、
前記画像の識別情報の選択に基づいて、当該画像の識別情報を含む前記作業管理情報に含まれる前記画像であって、当該画像における前記位置に基づいて前記オブジェクトが表示される前記画像を出力し、ユーザの前記作業管理情報を用いた作業記録の操作に基づく前記オブジェクトへの入力情報の識別情報が、前記作業管理情報に含まれる入力情報の識別情報に一致するか否かに応じて、前記入力情報を前記オブジェクトへの作業内容の記録として登録するか否かを判定すること、
を含み、前記入力情報の識別情報は、数値の上限と下限である、
作業管理装置の作業管理方法。
【請求項６】
コンピュータに、
チェックシートの画像を取り込んで表示すること、
前記画像を用いた作業内容の記録に利用する記録領域を示すオブジェクトの前記画像上への配置をユーザ操作に基づいて決定すること、
前記オブジェクトの識別情報と、前記オブジェクトの前記画像における位置と、前記画像の識別情報とを対応付けた作業管理情報を登録し、前記オブジェクトが示す記録領域への入力情報の識別情報をさらに含めた作業管理情報を登録すること、
前記画像の識別情報の選択に基づいて、当該画像の識別情報を含む前記作業管理情報に含まれる前記画像であって、当該画像における前記位置に基づいて前記オブジェクトが表示される前記画像を出力し、ユーザの前記作業管理情報を用いた作業記録の操作に基づく前記オブジェクトへの入力情報の識別情報が、前記作業管理情報に含まれる入力情報の識別情報に一致するか否かに応じて、前記入力情報を前記オブジェクトへの作業内容の記録として登録するか否かを判定すること、
を実行させ、前記入力情報の識別情報は、数値の上限と下限である、
プログラム。
【発明の詳細な説明】
【技術分野】
【０００１】
本発明は、作業管理装置、作業管理方法及びプログラムに関する。
【背景技術】
【０００２】
大きな製品を製造する場合、多数の部品が使用される。そのような製品の製造に使用される部品を検査する場合、現物を確認しながらチェックシートを用いて検査を行う場合がある。
特許文献１には、関連する技術として、ユーザが、インターネットに接続された端末装置などを用いて自身の役割に応じた作業指示やチェックシートを登録・確認することのできるシステムに関する技術が開示されている。
【先行技術文献】
【特許文献】
【０００３】
【特許文献１】特開２０１３−１０９７４０号公報
【発明の概要】
【発明が解決しようとする課題】
【０００４】
ところで、従来から製品の製造時の検査に利用されているチェックシートを利用しつつ、検査に関する作業管理の効率化を図ることが求められていた。
【０００５】
そこで、この発明は、上記の課題を解決することのできる作業管理装置、作業管理方法及びプログラムを提供することを目的としている。
【課題を解決するための手段】
【０００６】
本発明の第１の態様によれば、作業管理装置は、チェックシートの画像を取り込んで表示する画像表示部と、前記画像を用いた作業内容の記録に利用する記録領域を示すオブジェクトの前記画像上への配置をユーザ操作に基づいて決定するオブジェクト配置決定部と、前記オブジェクトの識別情報と、前記オブジェクトの前記画像における位置と、前記画像の識別情報とを対応付けた作業管理情報を登録し、前記オブジェクトが示す記録領域への入力情報の識別情報をさらに含めた作業管理情報を登録する作業管理情報作成部と、前記画像の識別情報の選択に基づいて、当該画像の識別情報を含む前記作業管理情報に含まれる前記画像であって、当該画像における前記位置に基づいて前記オブジェクトが表示される前記画像を出力し、ユーザの前記作業管理情報を用いた作業記録の操作に基づく前記オブジェクトへの入力情報の識別情報が、前記作業管理情報に含まれる入力情報の識別情報に一致するか否かに応じて、前記入力情報を前記オブジェクトへの作業内容の記録として登録するか否かを判定する作業管理部と、を備え、前記入力情報の識別情報は、数値の上限と下限である。
このようにすれば、作業管理装置は、従来から製品の製造時の検査に利用されているチェックシートを利用しつつ、検査に関する作業管理の効率化を図ることができる。
【００１０】
本発明の第２の態様によれば、第１の態様における作業管理装置において、前記作業管理情報作成部は、前記オブジェクトが示す記録領域への入力が許されるユーザの属性情報をさらに含めた作業管理情報を登録し、前記作業管理部は、ユーザの前記作業管理情報を用いた作業記録の操作に基づく前記オブジェクトへの入力情報における当該ユーザの属性情報と、前記作業管理情報に含まれるユーザの属性情報との比較に基づいて、当該入力情報を前記オブジェクトへの作業内容の記録として登録するか否かを判定してもよい。
このようにすれば、作業管理装置は、ユーザに編集の権限のあるオブジェクトのみを変更させることができる。
【００１１】
本発明の第３の態様によれば、第１の態様または第２の態様における作業管理装置において、前記作業管理情報作成部は、前記チェックシートの画像を用いたチェック作業に必要な他の情報を記憶するデータベースへのリンクを示すリンクオブジェクトをさらに含めた作業管理情報をユーザ操作に基づいて登録し、前記作業管理部は、前記オブジェクトが表示される前記画像において前記リンクオブジェクトの選択操作を検知した場合には、当該オブジェクトが示すデータベースの情報を取得して出力してもよい。
このようにすれば、作業管理装置は、ユーザにチェックリストに関連する情報を提供することができる。
【００１２】
本発明の第４の態様によれば、第２の態様または第３の態様における作業管理装置において、前記作業管理部は、前記チェックシートの画像を用いた作業内容の記録の開始時刻と終了時刻を登録し、前記ユーザ操作に基づいて、前記チェックシートの画像の識別情報を指定した作業時間の表示指示を受け付けた場合には、当該画像について登録された前記開始時刻と前記終了時刻に基づいて算出した作業時間を出力してもよい。
このようにすれば、作業管理装置は、ユーザの作業時間を管理することができる。
【００１３】
本発明の第５の態様によれば、作業管理装置の作業管理方法は、チェックシートの画像を取り込んで表示すること、前記画像を用いた作業内容の記録に利用する記録領域を示すオブジェクトの前記画像上への配置をユーザ操作に基づいて決定すること、前記オブジェクトの識別情報と、前記オブジェクトの前記画像における位置と、前記画像の識別情報とを対応付けた作業管理情報を登録し、前記オブジェクトが示す記録領域への入力情報の識別情報をさらに含めた作業管理情報を登録すること、前記画像の識別情報の選択に基づいて、当該画像の識別情報を含む前記作業管理情報に含まれる前記画像であって、当該画像における前記位置に基づいて前記オブジェクトが表示される前記画像を出力し、ユーザの前記作業管理情報を用いた作業記録の操作に基づく前記オブジェクトへの入力情報の識別情報が、前記作業管理情報に含まれる入力情報の識別情報に一致するか否かに応じて、前記入力情報を前記オブジェクトへの作業内容の記録として登録するか否かを判定すること、を含み、前記入力情報の識別情報は、数値の上限と下限である。
このようにすれば、作業管理装置は、従来から製品の製造時の検査に利用されているチェックシートを利用しつつ、検査に関する作業管理の効率化を図ることができる。
【００１４】
本発明の第６の態様によれば、プログラムは、コンピュータに、チェックシートの画像を取り込んで表示すること、前記画像を用いた作業内容の記録に利用する記録領域を示すオブジェクトの前記画像上への配置をユーザ操作に基づいて決定すること、前記オブジェクトの識別情報と、前記オブジェクトの前記画像における位置と、前記画像の識別情報とを対応付けた作業管理情報を登録し、前記オブジェクトが示す記録領域への入力情報の識別情報をさらに含めた作業管理情報を登録すること、前記画像の識別情報の選択に基づいて、当該画像の識別情報を含む前記作業管理情報に含まれる前記画像であって、当該画像における前記位置に基づいて前記オブジェクトが表示される前記画像を出力し、ユーザの前記作業管理情報を用いた作業記録の操作に基づく前記オブジェクトへの入力情報の識別情報が、前記作業管理情報に含まれる入力情報の識別情報に一致するか否かに応じて、前記入力情報を前記オブジェクトへの作業内容の記録として登録するか否かを判定すること、を実行させ、前記入力情報の識別情報は、数値の上限と下限である。
このようにすれば、作業管理装置は、従来から製品の製造時の検査に利用されているチェックシートを利用しつつ、検査に関する作業管理の効率化を図ることができる。
【発明の効果】
【００１５】
本発明の実施形態による作業管理装置によれば、従来から製品の製造時の検査に利用されているチェックシートを利用しつつ、検査に関する作業管理の効率化を図ることができる。
【図面の簡単な説明】
【００１６】
【図１】本発明の一実施形態による作業管理システムの構成を示す図である。
【図２】本発明の一実施形態における第１データテーブルを示す図である。
【図３】本発明の一実施形態による作業管理装置の構成を示す図である。
【図４】本発明の一実施形態による作業管理システムの処理フローを示す第１の図である。
【図５】本発明の一実施形態による画像表示部が表示する表示画面を示す第１の図である。
【図６】本発明の一実施形態による画像表示部が表示する表示画面を示す第２の図である。
【図７】本発明の一実施形態における第２データテーブルを示す図である。
【図８】本発明の一実施形態による画像表示部が表示する表示画面を示す第３の図である。
【図９】本発明の一実施形態による画像表示部が表示する表示画面を示す第４の図である。
【図１０】本発明の一実施形態による画像表示部が表示する登録内容切替アイコンを説明するための図である。
【図１１】本発明の一実施形態による画像表示部が表示する表示画面を示す第５の図である。
【図１２】本発明の一実施形態による画像表示部が表示する表示画面を示す第６の図である。
【図１３】本発明の一実施形態による作業管理システムの処理フローを示す第２の図である。
【図１４】本発明の一実施形態による画像表示部が表示する表示画面を示す第７の図である。
【図１５】本発明の一実施形態における第３データテーブルを示す図である。
【図１６】本発明の一実施形態による画像表示部が表示する表示画面を示す第８の図である。
【図１７】本発明の一実施形態による作業管理システムの処理フローを示す第３の図である。
【図１８】本発明の一実施形態による作業管理システムの処理フローを示す第４の図である。
【発明を実施するための形態】
【００１７】
＜実施形態＞
以下、図面を参照しながら一実施形態について詳しく説明する。
まず、本発明の一実施形態による作業管理システム１の構成について説明する。
本実施形態による作業管理システム１は、図１に示すように、作業管理装置１０と、ログイン情報データベース２０（以下、「ログイン情報ＤＢ２０」と記載）と、チェックシート情報データベース３０（以下、「チェックシート情報ＤＢ３０」と記載）と、組立手順情報データベース４０（以下、「組立手順情報ＤＢ４０」と記載）と、リンク情報データベース５０（以下、「リンク情報ＤＢ５０」と記載）と、を備える。
【００１８】
作業管理装置１０は、作業対象部品の画像を取り込んで表示する。作業管理装置１０は、作業対象部品の画像を用いた作業内容の記録に利用する記録領域を示すオブジェクト（例えば、実測値の記入欄であるオブジェクト、テキストの記入欄であるオブジェクト、備考の記入欄であるオブジェクト、確認印の捺印欄であるオブジェクト）のチェックシートの画像上への配置をユーザ操作に基づいて決定する。作業管理装置１０は、オブジェクトの識別情報、作業対象部品の画像におけるオブジェクトの位置、作業対象部品の画像の識別情報のそれぞれを対応付けた作業管理情報を登録する。
【００１９】
ログイン情報ＤＢ２０は、ユーザが作業管理情報を登録する作業を行うために作業管理装置１０にログインするときに用いる認証データを記憶するデータベースである。例えば、ログイン情報ＤＢ２０は、図２に示すように、管理者、作業者のそれぞれについて、ユーザＩＤ、パスワード、ユーザの属性情報の組み合わせを示す第１データテーブルＴＢＬ１を記憶している。
チェックシート情報ＤＢ３０は、各作業工程毎の検査内容に関する情報を記憶するデータベースである。検査内容に関する情報は、チェックシートの情報を含む。
組立手順情報ＤＢ４０は、製品を組み立てる手順などの情報を記憶するデータベースである。
リンク情報ＤＢ５０は、検査内容に関する情報に関連付けられたリンク先のデータベースである。
【００２０】
ユーザは、作業管理情報を登録する作業を行うとき、作業管理装置１０に対してログイン操作を行う。作業管理装置１０は、ログイン情報ＤＢ２０が記憶する認証データと、ユーザの操作とに基づいて、ログイン操作を行ったユーザが作業管理装置１０を使用する権限を有するユーザであるか否かを判定する。作業管理装置１０は、ログイン操作を行ったユーザが作業管理装置１０を使用する権限を有するユーザであると判定した場合、使用可能な状態となる。ユーザは、検査する内容に関するチェックシートを選択する操作を作業管理装置１０に対して行う。作業管理装置１０は、ユーザによる操作に応じてチェックシート情報ＤＢ３０から選択された検査内容に関する情報を読み出す。ユーザは、作業管理情報を登録する操作を作業管理装置１０に対して行う。例えば、作業管理装置１０は、作業管理情報を登録する操作に応じて、コピー用紙に印刷されたチェックシートをスキャナでスキャンして電子データに変換されたチェックシートを取り込む。また、作業管理装置１０は、作業管理情報を登録する操作に応じて、既に電子データに変換されているチェックシートをリンク情報ＤＢ５０から読み出す。ユーザは、チェックシートにオブジェクトを付加する操作を作業管理装置１０に対して行う。作業管理装置１０は、ユーザによる操作に応じてチェックシートにオブジェクトを付加する。作業管理装置１０は、オブジェクトを付加したチェックシートを検査内容と関連付けて記憶する。
このように、作業管理装置１０は、検査作業を容易にするオブジェクトを付加したチェックシートを生成する。
【００２１】
また、ユーザは、チェックシートを承認するとき、作業管理装置１０に対してログイン操作を行う。作業管理装置１０は、ログイン情報ＤＢ２０が記憶する認証データと、ユーザの操作とに基づいて、ログイン操作を行ったユーザが作業管理装置１０を使用する権限を有するユーザであるか否かを判定する。作業管理装置１０は、ログイン操作を行ったユーザが作業管理装置１０を使用する権限を有するユーザであると判定した場合、使用可能な状態となる。ユーザは、チェックシートを選択する操作を作業管理装置１０に対して行う。作業管理装置１０は、ユーザによる操作に応じてチェックシート情報ＤＢ３０から選択されたチェックシートを読み出す。ユーザは、チェックシートに捺印する操作を行う。作業管理装置１０は、操作ユーザによる捺印の操作に応じて、オブジェクトに関連付けられているユーザの属性情報と、操作しているユーザの属性情報との比較結果に基づいて、チェックシートのオブジェクトに捺印を付加する。
このように、作業管理装置１０は、ユーザが作業対象部品を検査するときにオブジェクトを付加したチェックシートを読み出して、ユーザが行う検査作業を容易にする。
【００２２】
また、ユーザは、作業対象部品を検査するとき、作業管理装置１０に対してログイン操作を行う。作業管理装置１０は、ログイン情報ＤＢ２０が記憶する認証データと、ユーザの操作とに基づいて、ログイン操作を行ったユーザが作業管理装置１０を使用する権限を有するユーザであるか否かを判定する。作業管理装置１０は、ログイン操作を行ったユーザが作業管理装置１０を使用する権限を有するユーザであると判定した場合、使用可能な状態となる。ユーザは、検査する内容に関するチェックシートを選択する操作を作業管理装置１０に対して行う。作業管理装置１０は、ユーザによる操作に応じてチェックシート情報ＤＢ３０から選択された検査内容に関する情報を読み出す。作業管理装置１０は、選択された検査内容に関する情報に関連付けられて記憶するオブジェクトを付加したチェックシートを読み出す。
このように、作業管理装置１０は、ユーザが作業対象部品を検査するときにオブジェクトを付加したチェックシートを読み出して、ユーザが行う検査作業を容易にする。
【００２３】
また、ユーザは、製品を組み立てるとき、作業管理装置１０に対してログイン操作を行う。作業管理装置１０は、ログイン情報ＤＢ２０が記憶する認証データと、ユーザの操作とに基づいて、ログイン操作を行ったユーザが作業管理装置１０を使用する権限を有するユーザであるか否かを判定する。作業管理装置１０は、ログイン操作を行ったユーザが作業管理装置１０を使用する権限を有するユーザであると判定した場合、使用可能な状態となる。ユーザは、製品を組み立てる手順を読み出す操作を作業管理装置１０に対して行う。作業管理装置１０は、ユーザによる操作に応じて組立手順情報ＤＢ４０から選択された製品を組み立てる手順を示す情報を読み出す。このとき、作業管理装置１０は、選択された製品を組み立てる手順に関連するオブジェクトを付加したチェックシートも読み出す。
このように、作業管理装置１０は、ユーザが製品を組み立てるときにオブジェクトを付加したチェックシートを読み出して、ユーザが行う製品を組み立てる作業を容易にする。
【００２４】
本発明の一実施形態による作業管理装置１０の構成について説明する。
作業管理装置１０は、図３に示すように、画像表示部１０１と、オブジェクト配置決定部１０２と、作業管理情報作成部１０３と、記憶部１０４と、通信部１０５と、ログイン処理部１０６と、チェックシート検索処理部１０７と、作業管理部１０８と、リンク情報処理部１０９と、ページ入替処理部１１０と、作業検索処理部１１１と、仕様判定部１１２と、を備える。
【００２５】
画像表示部１０１は、チェックシートの画像を取り込んで表示する。
オブジェクト配置決定部１０２は、チェックシートの画像を用いた作業内容の記録に利用する記録領域を示すオブジェクト（例えば、チェック欄、確認印、テキスト入力欄）のチェックシートの画像上への配置をユーザ操作に基づいて決定する。
【００２６】
作業管理情報作成部１０３は、オブジェクトの識別情報と、オブジェクトのチェックシートの画像におけるオブジェクトの位置と、チェックシートの画像の識別情報とを対応付けた作業管理情報を登録する。作業管理情報作成部１０３は、オブジェクトが示す記録領域への入力情報の識別情報をさらに含めた作業管理情報を登録する。作業管理情報作成部１０３は、オブジェクトが示す記録領域への入力が許されるユーザの属性情報をさらに含めた作業管理情報を登録する。作業管理情報作成部１０３は、チェックシートの画像を用いたチェック作業に必要な他の情報を記憶するデータベースへのリンクボタンのオブジェクトをさらに含めた作業管理情報をユーザ操作に基づいて登録する。
【００２７】
記憶部１０４は、作業管理装置１０が行う処理に必要な種々の情報を記憶する。例えば、記憶部１０４は、ユーザが作業を行うためのアプリケーションプログラムＡＰを記憶している。アプリケーションプログラムＡＰは、画像表示部１０１上の各位置毎にユーザによるタッチを検出したときに実行する処理を定義している。
【００２８】
通信部１０５は、ログイン情報ＤＢ２０、チェックシート情報ＤＢ３０、組立手順情報ＤＢ４０、リンク情報ＤＢ５０、その他のリンク先（データベース、装置など）、のそれぞれと通信を行う。
【００２９】
ログイン処理部１０６は、ログイン情報ＤＢ２０が記憶する認証データと、ユーザが作業管理装置１０に入力するユーザＩＤと、パスワードと、に基づいてログイン操作を行ったユーザが作業管理装置１０を使用する権限を有するユーザであるか否かを判定する。ログイン処理部１０６は、ログイン操作を行ったユーザが作業管理装置１０を使用する権限を有するユーザであると判定した場合、作業管理装置１０を使用可能な状態とする。
【００３０】
チェックシート検索処理部１０７は、チェックシートの検索処理を行う。
作業管理部１０８は、チェックシートの画像の識別情報の選択に基づいて、チェックシートの画像の識別情報を含む作業管理情報に含まれるチェックシートの画像であって、その画像におけるオブジェクトのチェックシートの画像における位置に基づいてオブジェクトが表示されるチェックシートの画像を出力する。作業管理部１０８は、ユーザの作業管理情報を用いた作業記録の操作に基づくオブジェクトへの入力情報の識別情報が、作業管理情報に含まれる入力情報の識別情報に一致するか否かに応じて、入力情報をオブジェクトへの作業内容の記録として登録するか否かを判定する。作業管理部１０８は、ユーザの作業管理情報を用いた作業記録の操作に基づくオブジェクトへの入力情報におけるそのユーザの属性情報と、作業管理情報に含まれるユーザの属性情報との比較に基づいて、その入力情報をオブジェクトへの作業内容の記録として登録するか否かを判定する。作業管理部１０８は、オブジェクトが表示されるデータシートの画像においてリンクボタンのオブジェクト（リンクオブジェクト）の押下指示（選択操作）を検知した場合には、そのオブジェクトが示すデータベースの情報を取得して出力する。作業管理部１０８は、チェックシートの画像を用いた作業内容の記録の開始時刻と終了時刻を登録する。作業管理部１０８は、ユーザ操作に基づいて、チェックシートの画像の識別情報を指定した作業時間の表示指示を受け付けた場合には、チェックシートの画像について登録された開始時刻と終了時刻に基づいて算出した作業時間を出力する。これにより、作業管理装置は、ユーザの作業時間を管理することができる。
【００３１】
リンク情報処理部１０９は、オブジェクトを選択した状態においてユーザによるリンク先を示すアイコンの何れかへのタッチに応じて、タッチしたアイコンに関連付けられているリンク先の情報と、チェックシートに付加したオブジェクトとを関連付ける。
【００３２】
ページ入替処理部１１０は、チェックシートのページを変更することによりチェックシートのページの順序を入れ替える。
作業検索処理部１１１は、ユーザにより作業を検索する操作に応じて、通信部１０５を介して、ユーザが打ち込んだ作業番号に対応するチェックシートをチェックシート情報ＤＢ３０から読み出す。
仕様判定部１１２は、ユーザにより打ち込まれた実測値がその実測値が打ち込まれたオブジェクトに関連付けられた仕様の許容範囲内であるか否かを判定する。
【００３３】
本発明の一実施形態による作業管理システム１が行う処理について説明する。
なお、作業管理装置１０は、タッチパネル機能を有する画像表示部１０１を備えるタブレット端末であるものとする。
【００３４】
まず、図４に示す作業管理システム１の処理フローについて説明する。図４に示す作業管理システム１の処理フローは、作業管理システム１がオブジェクトを付加したチェックシートを生成する処理についての処理フローである。
なお、作業管理システム１がチェックシートを生成する処理を行う場合のユーザは、管理者である。
【００３５】
作業管理装置１０は、起動すると、記憶部１０４が記憶するアプリケーションプログラムＡＰを実行する。画像表示部１０１は、アプリケーションプログラムＡＰに応じて、図５に示すログイン画面を表示する（ステップＳ１）。ログイン画面は、図５に示すように、ユーザＩＤを入力するユーザＩＤ入力欄Ｋ１と、パスワードを入力するパスワード欄Ｋ２とを含む。また、ログイン画面は、図５に示すように、管理者がログインするときにタッチする管理者ログインアイコンＩＣＮ１と、作業者がログインするときにタッチする作業者ログインアイコンＩＣＮ２と、入力されたユーザＩＤ、入力されたパスワードを削除するクリアアイコンＩＣＮ３と、を含む。
【００３６】
ユーザは、作業管理情報を登録する作業を行うとき、作業管理装置１０に対してログイン操作を行う。
具体的には、ユーザは、ユーザＩＤ入力欄Ｋ１にユーザＩＤを打ち込む。ユーザは、パスワード欄Ｋ２にパスワードを打ち込む。ユーザは、管理者ログインアイコンＩＣＮ１にタッチする。管理者ログインアイコンＩＣＮ１は、管理者がログインするためのアイコンである。
【００３７】
画像表示部１０１は、ユーザにより管理者ログインアイコンＩＣＮ１がタッチされると、そのタッチが示す画像表示部１０１上の位置を特定する。画像表示部１０１は、特定した画像表示部１０１上の位置に対応するユーザのログイン処理を実行するログイン処理部１０６へログイン処理を実行させるログイン指令信号ｓｇ１を送信する。
【００３８】
ログイン処理部１０６は、画像表示部１０１からログイン指令信号ｓｇ１を受信する。ログイン処理部１０６は、ログイン指令信号ｓｇ１を受信すると、アプリケーションプログラムＡＰによって定義されている受信したタッチ座標に対応付けられた管理者のログイン処理を行う。
具体的には、ログイン処理部１０６は、ログイン操作を行ったユーザが作業管理装置１０を使用する権限を有するユーザであるか否かを判定する（ステップＳ２）。
例えば、ログイン処理部１０６は、ログイン情報ＤＢ２０が記憶する第１データテーブルＴＢＬ１において、ユーザが画像表示部１０１に対して打ち込んだユーザＩＤとパスワードの組み合わせを検索する。
管理者であるユーザが画像表示部１０１に対して打ち込んだユーザＩＤがＩＤａ２であり、パスワードがＰＷａ２である場合、ログイン処理部１０６は、第１データテーブルＴＢＬ１において管理者のユーザＩＤと、ユーザが画像表示部１０１に対して打ち込んだユーザＩＤであるＩＤａ２とを順に比較する。ログイン処理部１０６は、第１データテーブルＴＢＬ１において管理者のユーザＩＤと、ユーザが画像表示部１０１に対して打ち込んだユーザＩＤであるＩＤａ２との２回目の比較において、第１データテーブルＴＢＬ１においてユーザが画像表示部１０１に対して打ち込んだユーザＩＤであるＩＤａ２と同一のユーザＩＤを特定する。ログイン処理部１０６は、特定したユーザＩＤに対応するパスワードＰＷａ２と、ユーザが画像表示部１０１に対して打ち込んだパスワードであるＰＷａ２とを比較する。ログイン処理部１０６は、両方のパスワードが一致すると判定した場合、ログイン操作を行ったユーザが作業管理装置１０を使用する権限を有するユーザであると判定する。
また、ログイン処理部１０６は、両方のパスワードが一致しないと判定した場合、第１データテーブルＴＢＬ１における次のユーザＩＤとユーザが画像表示部１０１に対して打ち込んだユーザＩＤであるＩＤａ２とを順に比較し、上述と同様の判定を繰り返す。ログイン処理部１０６は、第１データテーブルＴＢＬ１において最後まで検索し、ユーザが画像表示部１０１に対して打ち込んだパスワードに一致するパスワードを発見しなかった場合に、ログイン操作を行ったユーザが作業管理装置１０を使用する権限を有するユーザではないと判定する。
【００３９】
なお、以下の説明では、画像表示部１０１は、ユーザが画像表示部１０１をタッチした場合、特に明記しない場合であっても、ユーザによりタッチされる毎に、タッチされた画像表示部１０１上の位置に対応する処理を実行する機能部へその処理を指示する指令信号を送信するものとする。また、各機能部は、ユーザが画像表示部１０１をタッチした場合、特に明記しない場合であっても、ユーザによりタッチされる毎に、そのタッチに応じて、タッチされた画像表示部１０１上の位置に対応する処理を実行するものとする。
【００４０】
ログイン処理部１０６は、ログイン操作を行ったユーザが作業管理装置１０を使用する権限を有するユーザではないと判定した場合（ステップＳ２においてＮＯ）、ステップＳ２の処理に戻す。
【００４１】
ログイン処理部１０６は、ログイン操作を行ったユーザが作業管理装置１０を使用する権限を有するユーザであると判定した場合（ステップＳ２においてＹＥＳ）、ログイン操作を行ったユーザが作業管理装置１０を使用する権限を有するユーザであると判定したことを示すユーザ判定信号ｓｇ２を画像表示部１０１に送信する。
【００４２】
画像表示部１０１は、ログイン処理部１０６からユーザ判定信号ｓｇ２を受信する。画像表示部１０１は、ユーザ判定信号ｓｇ２を受信すると、受信したユーザ判定信号ｓｇ２に応じてチェックシート検索画面を表示する（ステップＳ３）。このとき、画像表示部１０１が表示するチェックシート検索画面は、作業を行うときに使用する書類であるチェックシートを検索するための画面である。チェックシート検索画面は、例えば、図６に示す表示画面である。チェックシート検索画面は、図６に示すように、部品番号を入力する部品番号入力欄Ｋ３と、検索アイコンＩＣＮ４と、を含む。
【００４３】
ユーザは、チェックシートを検索するとき、チェックシート検索画面を表示する画像表示部１０１に対して、チェックシートを指定する操作を行う。
具体的には、ユーザは、部品番号入力欄Ｋ３に部品番号を打ち込む。ユーザは、検索アイコンＩＣＮ４にタッチする。
【００４４】
チェックシート検索処理部１０７は、ユーザにより検索アイコンＩＣＮ４がタッチされると、通信部１０５を介して、ユーザが打ち込んだ部品番号に対応するチェックシートをチェックシート情報ＤＢ３０から読み出す。
具体例として、チェックシート情報ＤＢ３０が図７に示す第２データテーブルＴＢＬ２を記憶している場合について説明する。第２データテーブルＴＢＬ２は、図７に示すように、分類番号と枝番号とを有する部品番号と、部品番号に対応付けられたチェックシート、チェックシートのページ、チェックシートに対するコメント、チェックシートの最終更新者、チェックシートの最終更新者、チェックシートの最終更新日、チェックシートのステータス、チェックシートの版数、チェックシートの履歴のそれぞれの情報を含む。チェックシート検索処理部１０７は、ユーザが部品番号入力欄Ｋ３に部品番号として打ち込んだ場合、打ち込んだ“１Ａ−２３４５６”とチェックシート情報ＤＢ３０が記憶している部品番号とを順に比較する。チェックシート検索処理部１０７は、第２データテーブルＴＢＬ２における部品番号のうち“１Ａ−２３４５６”を含む部品番号を特定する。第２データテーブルＴＢＬ２が図７に示すデータテーブルである場合、チェックシート検索処理部１０７は、部品番号として“１Ａ−２３４５６−００１”、“１Ａ−２３４５６−００２”、“１Ａ−２３４５６−００３”を特定する。チェックシート検索処理部１０７は、特定した部品番号“１Ａ−２３４５６−００１”、“１Ａ−２３４５６−００２”、“１Ａ−２３４５６−００３”を画像表示部１０１に送信する。
【００４５】
画像表示部１０１は、部品番号“１Ａ−２３４５６−００１”、“１Ａ−２３４５６−００２”、“１Ａ−２３４５６−００３”をチェックシート検索処理部１０７から受信する。画像表示部１０１は、受信した部品番号に対応する図８に示す検索結果一覧を表示する（ステップＳ４）。検索結果一覧は、第２データテーブルＴＢＬ２に含まれる部品番号と、部品番号に対応付けられたチェックシート、チェックシートのページ、チェックシートに対するコメント、チェックシートの最終更新者、チェックシートの最終更新者、チェックシートの最終更新日、チェックシートのステータス（承認状況）、チェックシートの版数、チェックシートの編集の履歴のそれぞれの情報を含む。
【００４６】
図８に示す検索結果一覧において、編集アイコンｉｃｎ５ａは、部品番号“１Ａ−２３４５６−００１”のチェックシートのページ番号を変更するときに用いるアイコンである。
編集アイコンｉｃｎ５ｂは、部品番号“１Ａ−２３４５６−００２”のチェックシートのページ番号を変更するときに用いるアイコンである。
編集アイコンｉｃｎ５ｃは、部品番号“１Ａ−２３４５６−００３”のチェックシートのページ番号を変更するときに用いるアイコンである。
【００４７】
編集アイコンＩＣＮ６ａは、部品番号“１Ａ−２３４５６−００１”のチェックシートに対するコメントを記入するときに用いるアイコンである。
編集アイコンＩＣＮ６ｂは、部品番号“１Ａ−２３４５６−００２”のチェックシートに対するコメントを記入するときに用いるアイコンである。
編集アイコンＩＣＮ６ｃは、部品番号“１Ａ−２３４５６−００３”のチェックシートに対するコメントを記入するときに用いるアイコンである。
【００４８】
登録アイコンＩＣＮ７ａは、部品番号“１Ａ−２３４５６−００１”のチェックシートを編集し、第２データテーブルＴＢＬ２に登録するときに用いるアイコンである。
登録アイコンＩＣＮ７ｂは、部品番号“１Ａ−２３４５６−００２”のチェックシートを編集し、第２データテーブルＴＢＬ２に登録するときに用いるアイコンである。
登録アイコンＩＣＮ７ｃは、部品番号“１Ａ−２３４５６−００３”のチェックシートを編集し、第２データテーブルＴＢＬ２に登録するときに用いるアイコンである。
【００４９】
履歴アイコンＩＣＮ８ａは、部品番号“１Ａ−２３４５６−００１”のチェックシートを編集した履歴を見るときに用いるアイコンである。
履歴アイコンＩＣＮ８ｂは、部品番号“１Ａ−２３４５６−００２”のチェックシートを編集した履歴を見るときに用いるアイコンである。
履歴アイコンＩＣＮ８ｃは、部品番号“１Ａ−２３４５６−００３”のチェックシートを編集した履歴を見るときに用いるアイコンである。
【００５０】
削除アイコンＩＣＮ９ａは、部品番号“１Ａ−２３４５６−００１”のチェックシートを第２データテーブルＴＢＬ２から削除するときに用いるアイコンである。
削除アイコンＩＣＮ９ｂは、部品番号“１Ａ−２３４５６−００２”のチェックシートを第２データテーブルＴＢＬ２から削除するときに用いるアイコンである。
削除アイコンＩＣＮ９ｃは、部品番号“１Ａ−２３４５６−００３”のチェックシートを第２データテーブルＴＢＬ２から削除するときに用いるアイコンである。
【００５１】
ユーザは、チェックシートを編集するときに用いる編集アイコンにタッチする（ステップＳ５）。
【００５２】
画像表示部１０１は、ユーザにより編集アイコンがタッチされると、そのアイコンに対応する部品番号のチェックシートを編集する画面を表示する（ステップＳ６）。
例えば、画像表示部１０１は、ユーザにより編集アイコンＩＣＮ５ｃがタッチされると、図９に示す部品番号“１Ａ−２３４５６−００３”のチェックシートを編集する画面を表示する。チェックシートを編集する画面は、ログイン中のユーザ名、部品番号、チェックシートの検索、作業者の資格を設定する資格設定、フォーム作成、リンク作成、確認印作成、一括設定、作業検査図面を含んでいる。また、画像表示部１０１は、作業検査図面に対する操作を指示するアイコンを含んでいる。
【００５３】
具体的には、画像表示部１０１は、図９に示すように、ログイン中のユーザ名として“○○さん”を表示する。
画像表示部１０１は、部品番号として“１Ａ−２３４５６−００３”を表示する。
画像表示部１０１は、チェックシートの検索として、チェックシート名を入力するチェックシート入力欄Ｋ４と、チェックシート名を入力するときにチェックシートの参照先を指定するために用いる参照アイコンＩＣＮ１０と、チェックシート入力欄Ｋ４に入力されたチェックシートを表示するときに用いる表示アイコンＩＣＮ１１と、を表示する。
【００５４】
画像表示部１０１は、資格の一覧を表示する資格一覧と、作業者の資格を指定する必要資格一覧と、資格一覧において指定した資格を必要資格一覧に登録するときに用いる登録アイコンＩＣＮ２３と、必要資格一覧に登録されている資格を削除するときに用いる登録削除アイコンＩＣＮ２４と、を表示する。
【００５５】
画像表示部１０１は、作業検査図面においてテキストを入力するテキスト欄であるオブジェクトを設けるときに用いるテキストアイコンＩＣＮ１２と、作業検査図面において数値を入力する数値入力欄であるオブジェクトを設けるときに用いる数値アイコンＩＣＮ１３と、を表示する。
【００５６】
画像表示部１０１は、作業検査図面において作業スペックのリンク先を追加するときに用いる作業スペックアイコンＩＣＮ１４と、作業検査図面において図面のリンク先を追加するときに用いる図面アイコンＩＣＮ１５と、作業検査図面において不適合情報（例えば、部品番号、不適合発生箇所、不適合への処置内容などの情報）を追加するときに用いる不適合情報アイコンＩＣＮ１６と、作業検査図面においてその他のリンク先を追加するときに用いるその他アイコンＩＣＮ１７と、を表示する。
【００５７】
画像表示部１０１は、作業検査図面において力量Ａ以上の確認を必要とする確認印のオブジェクトを設けるときに用いる力量Ａ以上アイコンＩＣＮ１８と、作業検査図面において力量Ｂ以上の確認を必要とする確認印のオブジェクトを設けるときに用いる力量Ｂ以上アイコンＩＣＮ１９と、作業検査図面において力量に関わらず確認をすることができる確認印のオブジェクトを設けるときに用いる力量なしアイコンＩＣＮ２０と、作業検査図面において作業検査における最終確認者の確認印のオブジェクトを設けるときに用いる品質確認者アイコンＩＣＮ２１と、社内の品質保証を最終的に確認する検査員の確認印のオブジェクトを設けるときに用いる検査員アイコンＩＣＮ２２と、を表示する。
【００５８】
登録内容切替アイコンＩＣＮ２５は、登録内容の切り替えを行うプルダウンメニューを選択するためのアイコンである。
図１０（Ａ）に示すように、数値範囲を変更する場合、画像表示部１０１は、部品番号を入力するための入力欄Ｋ５ａと、数値範囲の上限を入力するための入力欄Ｋ６ａと、数値範囲の下限を入力するための入力欄Ｋ７ａと、入力欄Ｋ５ａ〜Ｋ７ａに入力した内容を登録するための設定アイコンＩＣＮ２６と、を表示する。なお、図９に示す画像表示部１０１の表示は、登録内容切替アイコンＩＣＮ２５のプルダウンメニューから数値範囲を変更する場合の表示である。
図１０（Ｂ）に示すように、図面を変更する場合、画像表示部１０１は、部品番号を入力するための入力欄Ｋ５ｂと、図面の参照先を入力するための入力欄Ｋ６ｂと、入力欄Ｋ５ｂ〜Ｋ６ｂに入力した内容を登録するための設定アイコンＩＣＮ２６と、を表示する。
図１０（Ｃ）に示すように、不適合情報を変更する場合、画像表示部１０１は、部品番号を入力するための入力欄Ｋ５ｃと、不適合情報の参照先を入力するための入力欄Ｋ６ｃと、入力欄Ｋ５ｃ〜Ｋ６ｃに入力した内容を登録するための設定アイコンＩＣＮ２６と、を表示する。
図１０（Ｄ）に示すように、その他のリンク先を変更する場合、画像表示部１０１は、部品番号を入力するための入力欄Ｋ５ｄと、任意のＵＲＬを入力するための入力欄Ｋ６ｄと、入力欄Ｋ５ｄ〜Ｋ６ｄに入力した内容を登録するための設定アイコンＩＣＮ２６と、を表示する。
【００５９】
画像表示部１０１は、部品の作業検査図面を含むチェックシートを電子データ化された画像を表示する。電子データ化された部品の作業検査図面を含むチェックシートの画像は、品種を記入する品種記入欄Ｋ８、図面の名称を記入する図面名称記入欄Ｋ９、作業検査図面を作成した作成者の氏名を記入する作成記入欄Ｋ１０、検査作業を実行する作業者の氏名を記入する点検記入欄Ｋ１１、検査作業結果が適切であるか否かを確認する確認者の氏名を記入する許可記入欄Ｋ１２、作業者が検査作業を実行した年月を記入する年月記入欄Ｋ１３、検査作業における特記事項を記入する特記事項記入欄Ｋ１４、項目、ネジのＬ１の寸法、ネジのＬ２の寸法、ネジのＬ３の寸法、ネジのＷ１の寸法、ネジのＷ２の寸法）、実測、ネジのＬ１の実測値を記入する実測記入欄であるオブジェクトＫ１６、ネジのＬ２の実測値を記入する実測記入欄であるオブジェクトＫ１７、ネジのＬ３の実測値を記入する実測記入欄であるオブジェクトＫ１８、ネジのＷ１の実測値を記入する実測記入欄であるオブジェクトＫ１９、ネジのＷ２の実測値を記入する実測記入欄であるオブジェクトＫ２０、備考、備考を記入する備考記入欄であるオブジェクトＫ２１、ネジを横から見た外観図のそれぞれを含む。
【００６０】
ユーザは、チェックシートを編集する画面において、作業者の資格を指定する必要資格一覧から資格を選択し、必要資格一覧に登録するために登録アイコンＩＣＮ２３にタッチする。
画像表示部１０１は、ユーザによる登録アイコンＩＣＮ２３へのタッチに応じて、選択された作業者の資格を必要資格一覧に登録する。
【００６１】
ユーザは、チェックシートを編集する画面において、オブジェクトにタッチする。
具体的には、ユーザは、テキストアイコンＩＣＮ１２、数値アイコンＩＣＮ１３、力量Ａ以上アイコンＩＣＮ１８、力量Ｂ以上アイコンＩＣＮ１９、力量なしアイコンＩＣＮ２０、品質確認者アイコンＩＣＮ２１、検査員アイコンＩＣＮ２２の何れかにタッチする。
【００６２】
画像表示部１０１は、ユーザによるオブジェクトへのタッチに応じて、作業検査図面において画像表示部１０１から直接的に入力することのできる記入欄であるオブジェクトを表示する（ステップＳ７）。
例えば、画像表示部１０１は、ユーザがテキストアイコンＩＣＮ１２をタッチした場合、ユーザによるテキストアイコンＩＣＮ１２へのタッチに応じて、図１１に示すように、作業検査図面においてテキストを画像表示部１０１から直接的に入力することができる記入欄であるオブジェクトＰ１ａを表示する。
また、例えば、画像表示部１０１は、ユーザが数値アイコンＩＣＮ１３をタッチした場合、ユーザによる数値アイコンＩＣＮ１３へのタッチに応じて、作業検査図面において実測値を画像表示部１０１から直接的に入力することができる記入欄であるオブジェクトＰ１ａと同様のオブジェクトを表示する。
また、例えば、画像表示部１０１は、ユーザが力量Ａ以上アイコンＩＣＮ１８をタッチした場合、ユーザによる力量Ａ以上アイコンＩＣＮ１８へのタッチに応じて、作業検査図面において力量Ａ以上の確認者が確認印を画像表示部１０１から直接的に捺印することができる記入欄であるオブジェクトＰ１ａと同様のオブジェクトを表示する。
また、例えば、画像表示部１０１は、ユーザが力量Ｂ以上アイコンＩＣＮ１９をタッチした場合、ユーザによる力量Ｂ以上アイコンＩＣＮ１９へのタッチに応じて、作業検査図面において力量Ｂ以上の確認者が確認印を画像表示部１０１から直接的に捺印することができる記入欄であるオブジェクトＰ１ａと同様のオブジェクトを表示する。
また、例えば、画像表示部１０１は、ユーザが力量なしアイコンＩＣＮ２０をタッチした場合、ユーザによる力量なしアイコンＩＣＮ２０へのタッチに応じて、作業検査図面において力量に関わらず確認をすることができる確認印を画像表示部１０１から直接的に捺印することができる記入欄であるオブジェクトＰ１ａと同様のオブジェクトを表示する。
また、例えば、画像表示部１０１は、ユーザが品質確認者アイコンＩＣＮ２１をタッチした場合、ユーザによる品質確認者アイコンＩＣＮ２１へのタッチに応じて、作業検査図面において作業検査における最終確認者が確認印を画像表示部１０１から直接的に捺印することができる記入欄であるオブジェクトＰ１ａと同様のオブジェクトを表示する。
また、例えば、画像表示部１０１は、ユーザが検査員アイコンＩＣＮ２２をタッチした場合、ユーザによる検査員アイコンＩＣＮ２２へのタッチに応じて、図１１に示すように、作業検査図面において社内の品質保証を最終的に確認する検査員が確認印を画像表示部１０１から直接的に捺印することができる記入欄であるオブジェクトＰ１ｂを表示する。
【００６３】
ユーザは、画像表示部１０１を操作して記入欄であるオブジェクトＰ１（Ｐ１ａ、Ｐ１ｂ）を設けたい位置まで移動させる操作を行う。ユーザは、記入欄Ｐ１のサイズを変更する操作を行う。ユーザは、オブジェクトＰ１をタップして、オブジェクトＰ１の位置とサイズを確定する。
具体的には、ユーザは、オブジェクトＰ１ａを、ネジのＷ２の寸法を記入する位置（図１１におけるオブジェクトＫ２０で示される位置）まで移動させる操作を行う。
ユーザは、電子データ化された部品の作業検査図面を含むチェックシートの画像が示す欄のサイズと同様のサイズに、記入欄であるオブジェクトＰ１ａのサイズを変更するために、オブジェクトＰ１ａの各辺をストレッチ操作するなどの操作を行う。
ユーザは、オブジェクトＰ１ａをタップして、オブジェクトＰ１ａの位置とサイズを確定する。
【００６４】
また、具体的には、ユーザは、オブジェクトＰ１ａと同様の形状であるテキストのオブジェクトを、備考を記入する位置（図１１におけるオブジェクトＫ２１で示される位置）まで移動させる操作を行う。
ユーザは、電子データ化された部品の作業検査図面を含むチェックシートの画像が示すオブジェクトのサイズと同様のサイズに、テキストのオブジェクトのサイズを変更するために、テキストのオブジェクトの各辺をストレッチ操作するなどの操作を行う。
ユーザは、テキストのオブジェクトをタップして、テキストのオブジェクトの位置とサイズを確定する。
【００６５】
また、具体的には、ユーザは、確認印を捺印するオブジェクトを、確認印を示す欄（図１１における欄Ｋ１５、Ｋ２２で示される位置）まで移動させる操作を行う。
ユーザは、電子データ化された部品の作業検査図面を含むチェックシートの画像が示す欄のサイズと同様のサイズに、捺印するオブジェクトのサイズを変更するために、捺印するオブジェクトの各辺をストレッチ操作するなどの操作を行う。
ユーザは、捺印するオブジェクトをタップして、捺印するオブジェクトの位置とサイズを確定する。
【００６６】
画像表示部１０１は、画像表示部１０１におけるオブジェクトＰ１の座標を検出する（ステップＳ８）。例えば、画像表示部１０１は、オブジェクトＰ１の四隅の座標を検出する。
画像表示部１０１は、検出したオブジェクトＰ１の四隅の座標をオブジェクト配置決定部１０２に送信する。
【００６７】
オブジェクト配置決定部１０２は、画像表示部１０１からオブジェクトＰ１の座標を受信する。
オブジェクト配置決定部１０２は、受信したオブジェクトＰ１の座標に基づいてオブジェクトＰ１のサイズと位置とを算出する（ステップＳ９）。
例えば、オブジェクト配置決定部１０２は、画像表示部１０１からオブジェクトＰ１の四隅の座標を受信する。オブジェクト配置決定部１０２は、受信したオブジェクトＰ１の四隅のそれぞれの座標の差に基づいて、例えば、オブジェクトＰ１の各辺の長さを算出する。また、オブジェクト配置決定部１０２は、オブジェクトＰ１の四隅の座標のそれぞれの差に基づいて、オブジェクトＰ１の中央を示す座標Ｍを算出する。具体的には、画像表示部１０１の左隅の座標を原点Ｏ（０，０）とし、Ｋ１６の四隅の座標Ａ、Ｂ、Ｃ、ＤがＡ（ｘ１，ｙ１）、Ｂ（ｘ１，ｙ２）、Ｃ（ｘ２，ｙ２）、Ｄ（ｘ２，ｙ１）とする。オブジェクト配置決定部１０２は、Ｍ（（ｘ１＋ｘ２）÷２，（ｙ１＋ｙ２）÷２）、オブジェクトＫ１６の縦方向の辺の長さ（ｘ１−ｘ２）、オブジェクトＫ１６の横方向の辺の長さ（ｙ２−ｙ１）のそれぞれを算出する。
オブジェクト配置決定部１０２は、算出したオブジェクトＰ１のサイズと位置とを作業管理情報作成部１０３に送信する。
【００６８】
作業管理情報作成部１０３は、オブジェクト配置決定部１０２からオブジェクトＰ１のサイズと位置とを受信する。
作業管理情報作成部１０３は、オブジェクトＰ１のサイズと位置とを受信すると、受信したオブジェクトＰ１のサイズと位置、オブジェクトＰ１の識別情報（実測値を記入するオブジェクト、確認印を捺印するオブジェクト、テキストを記入するオブジェクトなどを識別する識別子）、電子データ化された部品の作業検査図面を含むチェックシートの画像の識別情報のそれぞれを対応付けた作業管理情報を生成する（ステップＳ１０）。
作業管理情報作成部１０３は、生成した作業管理情報をチェックシート情報ＤＢ３０に登録する（ステップＳ１１）。このとき、作業管理情報作成部１０３は、編集前のチェックシートを履歴として残す。
【００６９】
以上説明した処理が、作業管理システム１がオブジェクトを付加したチェックシートを生成し、生成したチェックシートをデータベースに登録する処理である。
【００７０】
なお、作業管理システム１は、チェックシートに付加したオブジェクトと、リンク先の情報とを関連づけることができる。例えば、ユーザは、チェックシートを編集する画面において、チェックシートに付加したオブジェクトを選択する操作を行う。そして、ユーザは、作業スペックアイコンＩＣＮ１４、図面アイコンＩＣＮ１５、不適合情報アイコンＩＣＮ１６、その他アイコンＩＣＮ１７の何れかにタッチする。
リンク情報処理部１０９は、ユーザによる作業スペックアイコンＩＣＮ１４、図面アイコンＩＣＮ１５、不適合情報アイコンＩＣＮ１６、その他アイコンＩＣＮ１７の何れかへのタッチに応じて、タッチしたアイコンに関連付けられているリンク先の情報と、チェックシートに付加したオブジェクトとを関連付ける。
具体的には、リンク情報処理部１０９は、ユーザが作業スペックアイコンＩＣＮ１４にタッチした場合、チェックシートに付加したオブジェクトと、作業スペックアイコンＩＣＮ１４に関連付けられたリンク先が示す作業スペックの数値範囲とを関連づける。また、リンク情報処理部１０９は、ユーザが図面アイコンＩＣＮ１５にタッチした場合、チェックシートに付加したオブジェクトと、図面アイコンＩＣＮ１５に関連付けられたリンク先が示す図面とを関連づける。また、リンク情報処理部１０９は、ユーザが不適合情報アイコンＩＣＮ１６にタッチした場合、チェックシートに付加したオブジェクトと、図面アイコンＩＣＮ１７に関連付けられたリンク先が示す不適合情報とを関連づける。また、リンク情報処理部１０９は、ユーザがその他アイコンＩＣＮ１７にタッチした場合、チェックシートに付加したオブジェクトと、その他アイコンＩＣＮ１７に関連付けられたリンク先が示す任意の情報とを関連づける。
【００７１】
また、作業管理システム１は、チェックシートのページの順序を入れ替えることができる。
具体的には、ユーザが編集アイコンＩＣＮ５（５ａ〜５ｃ）の何れかにタッチする。
画像表示部１０１は、ユーザによる編集アイコンＩＣＮ５へのタッチに応じて、ページ番号を変更する画面を表示する。
例えば、画像表示部１０１は、ユーザが図８で示した編集アイコンＩＣＮ５ａにタッチした場合、部品番号“１Ａ−２３４５６−００１”のチェックシートのページである“１−１”を画像表示部１０１から直接変更することができる画面を表示する。
ユーザは、画像表示部１０１に対してページ“１−１”を“１−３”に変更する操作を行う。
ページ入替処理部１１０は、ユーザによるページを変更する操作に応じて、部品番号“１Ａ−２３４５６−００１”のチェックシートのページ“１−１”を“１−３”に変更する。
このように、作業管理システム１は、チェックシートのページの順序を入れ替えることができる。
【００７２】
また、作業管理システム１は、チェックシートの履歴を表示することができる。
具体的には、ユーザが編集アイコンＩＣＮ８（８ａ〜８ｃ）の何れかにタッチする。
画像表示部１０１は、ユーザによる編集アイコンＩＣＮ８へのタッチに応じて、履歴の画面を表示する。
例えば、画像表示部１０１は、ユーザが図８で示した編集アイコンＩＣＮ８ｂにタッチした場合、図１２に示す部品番号“１Ａ−２３４５６−００２”のチェックシートの履歴一覧を表示する。
このように、作業管理システム１は、チェックシートの履歴を表示することができる。
【００７３】
次に、図１３に示す作業管理システム１の処理フローについて説明する。図１３に示す作業管理システム１の処理フローは、作業管理システム１がオブジェクトに入力された測定値の適否を判定し、チェックシートを登録する処理についての処理フローである。
なお、作業管理システム１がオブジェクトに入力された測定値の適否を判定する処理を行う場合のユーザは、作業者である。
【００７４】
画像表示部１０１は、ステップＳ１の処理を実行すると、ログイン画面を表示する。
ユーザは、チェックリストを用いて製品を組み立てる作業を行うとき、作業管理装置１０に対してログイン操作を行う。
具体的には、ユーザは、ユーザＩＤ入力欄Ｋ１にユーザＩＤを打ち込む。ユーザは、パスワード欄Ｋ２にパスワードを打ち込む。ユーザは、作業者ログインアイコンＩＣＮ２にタッチする。作業者ログインアイコンＩＣＮ２は、作業者がログインするためのアイコンである。
【００７５】
画像表示部１０１は、ユーザにより作業者ログインアイコンＩＣＮ２がタッチされると、そのタッチが示す画像表示部１０１上の位置を特定する。画像表示部１０１は、特定した画像表示部１０１上の位置に対応するユーザのログイン処理を実行するログイン処理部１０６へそのログイン処理を実行させるログイン指令信号ｓｇ３を送信する。
【００７６】
ログイン処理部１０６は、画像表示部１０１からログイン指令信号ｓｇ３を受信する。ログイン処理部１０６は、ログイン指令信号ｓｇ３を受信すると、アプリケーションプログラムＡＰによって定義されている受信したタッチ座標に対応付けられた作業者のログイン処理を行う。
具体的には、ログイン処理部１０６は、ログイン操作を行ったユーザが作業管理装置１０を使用する権限を有するユーザであるか否かを判定する（ステップＳ１２）。
ステップＳ１２における判定は、ユーザＩＤがＩＤｂ２であり、パスワードがＰＷｂ２である場合、ステップＳ２における判定の管理者を作業者に置き替え、ユーザＩＤであるＩＤａ２をＩＤｂ２に置き替え、パスワードであるＰＷａ２をＰＷｂ２に置き替えてステップＳ２と同様の処理を行う。
【００７７】
ログイン処理部１０６は、ログイン操作を行ったユーザが作業管理装置１０を使用する権限を有するユーザではないと判定した場合（ステップＳ１２においてＮＯ）、ステップＳ１２の処理に戻す。
【００７８】
ログイン処理部１０６は、ログイン操作を行ったユーザが作業管理装置１０を使用する権限を有するユーザであると判定した場合（ステップＳ１２においてＹＥＳ）、ログイン操作を行ったユーザが作業管理装置１０を使用する権限を有するユーザであると判定したことを示すユーザ判定信号ｓｇ４を画像表示部１０１に送信する。
【００７９】
画像表示部１０１は、ログイン処理部１０６からユーザ判定信号ｓｇ４を受信する。画像表示部１０１は、ユーザ判定信号ｓｇ４を受信すると、受信したユーザ判定信号ｓｇ４に応じて作業検索画面を表示する（ステップＳ１３）。このとき、画像表示部１０１が表示する作業検索画面は、行う作業を検索するための画面である。作業検索画面は、例えば、図１４に示す表示画面である。作業検索画面は、図１４に示すように、行う作業を示す作業番号を入力する作業番号入力欄Ｋ２３と、検索アイコンＩＣＮ２７と、を含む。また、作業検索画面は、図１４に示すように、行う作業に用いる部品番号を入力する部品番号入力欄Ｋ２４と、検索アイコンＩＣＮ２８と、を含む。
【００８０】
ユーザは、作業を検索するとき、作業検索画面を表示する画像表示部１０１に対して、作業を指定する操作を行う。
具体的には、ユーザは、作業番号入力欄Ｋ２３に作業番号を打ち込み、検索アイコンＩＣＮ２７にタッチする。または、ユーザは、作業番号を示すバーコードをバーコードリーダに読ませる。または、ユーザは、部品番号入力欄Ｋ２４に部品番号を打ち込み、検索アイコンＩＣＮ２８にタッチする。
【００８１】
作業検索処理部１１１は、ユーザにより作業を検索する操作に応じて、通信部１０５を介して、ユーザが打ち込んだ作業番号に対応するチェックシートをチェックシート情報ＤＢ３０から読み出す。
具体的には、作業検索処理部１１１は、検索アイコンＩＣＮ２７がタッチされると、図１５の作業番号と部品番号との対応を示す第３データテーブルＴＢＬ３と、第２データテーブルＴＢＬ２とに基づいて、通信部１０５を介して、ユーザが打ち込んだ作業番号に対応するチェックシートをチェックシート情報ＤＢ３０から読み出す。また、作業検索処理部１１１は、検索アイコンＩＣＮ２８がタッチされると、第３データテーブルＴＢＬ３と、第２データテーブルＴＢＬ２とに基づいて、通信部１０５を介して、ユーザが打ち込んだ部品番号に対応するチェックシートをチェックシート情報ＤＢ３０から読み出す。また、作業検索処理部１１１は、第３データテーブルＴＢＬ３と、第２データテーブルＴＢＬ２とに基づいて、バーコードリーダが読み込んだ作業番号に対応するチェックシートをチェックシート情報ＤＢ３０から読み出す。
【００８２】
画像表示部１０１は、チェックシート情報ＤＢ３０から読み出したチェックシートを表示する（ステップＳ１４）。
【００８３】
ユーザは、ネジのＬ１、Ｌ２、Ｌ３、Ｗ１、Ｗ２のそれぞれの寸法を実測する。ユーザは、Ｗ１、Ｗ２のそれぞれの実測値を対応するオブジェクトＫ１６〜Ｋ２０に打ち込む操作を行う。
【００８４】
仕様判定部１１２は、ユーザにより打ち込まれた実測値がその実測値が打ち込まれたオブジェクトに関連付けられた仕様の許容範囲内であるか否かを判定する（ステップＳ１５）。
【００８５】
仕様判定部１１２は、ユーザにより打ち込まれた実測値が仕様の許容範囲内であると判定した場合（ステップＳ１５においてＹＥＳ）、画像表示部１０１に実測値を表示させる。
画像表示部１０１は、図１６のオブジェクトＫ１６に示すように、実測値を表示する（ステップＳ１６）。
【００８６】
また、仕様判定部１１２は、ユーザにより打ち込まれた実測値が仕様の許容範囲外であると判定した場合（ステップＳ１５においてＮＯ）、画像表示部１０１に実測値と実測値が許容範囲外であることを表示させる。
【００８７】
画像表示部１０１は、図１６のオブジェクトＫ２０に示すように、実測値と実測値が許容範囲外であることを表示する（ステップＳ１７）。
なお、ユーザは、必要に応じてオブジェクトＫ２１にコメントを打ち込む操作を行う。
画像表示部１０１は、オブジェクトＫ２１にコメントを表示する。
【００８８】
ユーザは、ドラフト保存アイコンＩＣＮ３１にタッチする。
作業管理部１０８は、ユーザの作業管理情報を用いた作業記録の操作に基づくオブジェクトへの入力情報の識別情報が、作業管理情報に含まれる入力情報の識別情報に一致するか否かを判定する（ステップＳ１８）。
作業管理部１０８は、ユーザの作業管理情報を用いた作業記録の操作に基づくオブジェクトへの入力情報の識別情報が、作業管理情報に含まれる入力情報の識別情報に一致すると判定した場合（ステップＳ１８においてＹＥＳ）、入力情報をオブジェクトへの作業内容の記録として登録する（ステップＳ１９）。
また、作業管理部１０８は、ユーザの作業管理情報を用いた作業記録の操作に基づくオブジェクトへの入力情報の識別情報が、作業管理情報に含まれる入力情報の識別情報に一致しないと判定した場合（ステップＳ１８においてＮＯ）、入力情報をオブジェクトへの作業内容の記録として登録しない（ステップＳ２０）。
具体的には、作業管理部１０８は、ユーザによりオブジェクトＫ１６に打ち込まれた文字の種別がオブジェクトＫ１６に関連付けられている入力情報の識別情報である数値であるか否かを判定する。
例えば、作業管理部１０８は、ユーザによりオブジェクトＫ１６に打ち込まれた文字の種別がオブジェクトＫ１６に関連付けられている入力情報の識別情報である数値であると判定した場合、オブジェクトＫ１６に打ち込まれた数値を関連づけてチェックシート情報ＤＢ３０に記録する。
また、作業管理部１０８は、ユーザによりオブジェクトＫ１６に打ち込まれた文字の種別がオブジェクトＫ１６に関連付けられている入力情報の識別情報である数値ではない（例えば、テキストである）と判定した場合、オブジェクトＫ１６に打ち込まれた文字列はチェックシート情報ＤＢ３０に記録しない。
また、例えば、作業管理部１０８は、ユーザによりオブジェクトＫ２１に打ち込まれた文字の種別がオブジェクトＫ２１に関連付けられている入力情報の識別情報であるテキストであると判定した場合、オブジェクトＫ２１に打ち込まれたテキストを関連づけてチェックシート情報ＤＢ３０に記録する。
また、作業管理部１０８は、ユーザによりオブジェクトＫ２１に打ち込まれた文字の種別がオブジェクトＫ２１に関連付けられている入力情報の識別情報であるテキストではない（例えば、数値である）と判定した場合、オブジェクトＫ２１に打ち込まれた文字列はチェックシート情報ＤＢ３０に記録しない。
なお、作業管理部１０８は、チェックシートの画像を用いた作業内容の記録の開始時刻と終了時刻を登録する。作業管理部１０８は、ユーザ操作に基づいて、チェックシートの画像の識別情報を指定した作業時間の表示指示を受け付けた場合には、チェックシートの画像について登録された開始時刻と終了時刻に基づいて算出した作業時間を出力してもよい。
【００８９】
以上説明した処理が、作業管理システム１がオブジェクトを付加したチェックシートに実測値、テキストを打ち込み、チェックシートを用いて部品の検査を行い、部品の検査結果を登録する処理である。
【００９０】
次に、図１７に示す作業管理システム１の処理フローについて説明する。図１７に示す作業管理システム１の処理フローは、作業管理システム１が測定値の入力されたオブジェクトを有するチェックシートを確認する処理についての処理フローである。
なお、作業管理システム１が測定値の入力されたオブジェクトを有するチェックシートを確認する処理を行う場合のユーザは、作業者である。
【００９１】
作業管理システム１は、ユーザによる操作に応じてステップＳ１、ステップＳ１２〜ステップＳ１４の処理を実行する。
【００９２】
ユーザは、オブジェクトＫ２２に確認印を捺印する操作を行う。ユーザは、最終承認済アイコンＩＣＮ２９にタッチする。
作業管理部１０８は、ユーザによる最終承認済アイコンＩＣＮ２９へのタッチに応じて、ユーザの作業管理情報を用いた作業記録の操作に基づくオブジェクトへの入力情報におけるユーザの属性情報と、作業管理情報に含まれるユーザの属性情報とを比較する（ステップＳ２１）。
具体的には、作業管理部１０８は、オブジェクトＫ２２に関連付けられているユーザの属性情報（力量Ａ以上の作業者、力量Ｂ以上の作業者、力量を必要としない作業者、作業検査における最終確認者、品質保証を最終的に確認する検査員）と、オブジェクトＫ２２への操作を行っているユーザの属性情報とを比較する。
作業管理部１０８は、ユーザの作業管理情報を用いた作業記録の操作に基づくオブジェクトへの入力情報におけるユーザの属性情報が、作業管理情報に含まれるユーザの属性情報の示す条件を満足する場合（ステップＳ２１においてＹＥＳ）、入力情報をオブジェクトへの作業内容の記録として登録する（ステップＳ２２）。
具体的には、作業管理部１０８は、オブジェクトＫ２２に関連付けられているユーザの属性情報が例えば、力量Ａ以上の作業者であり、オブジェクトＫ２２への操作を行っているユーザの属性情報が力量Ａである場合、作業管理情報に含まれるユーザの属性情報の示す条件を満足すると判定し、捺印をチェックシート情報ＤＢ３０に記録する。
また、作業管理部１０８は、ユーザの作業管理情報を用いた作業記録の操作に基づくオブジェクトへの入力情報におけるユーザの属性情報が、作業管理情報に含まれるユーザの属性情報の示す条件を満足しない場合（ステップＳ２１においてＮＯ）、入力情報をオブジェクトへの作業内容の記録として登録しない（ステップＳ２３）。
具体的には、作業管理部１０８は、オブジェクトＫ２２に関連付けられているユーザの属性情報が例えば、力量Ａ以上の作業者であり、オブジェクトＫ２２への操作を行っているユーザの属性情報が力量Ｂである場合、作業管理情報に含まれるユーザの属性情報の示す条件を満足しないと判定し、捺印をチェックシート情報ＤＢ３０に記録しない。
【００９３】
以上説明した処理が、作業管理システム１がオブジェクトを付加したチェックシートを用いた部品の検査結果を承認し、登録する処理である。
【００９４】
次に、図１８に示す作業管理システム１の処理フローについて説明する。図１８に示す作業管理システム１の処理フローは、作業管理システム１が製品の組み立て手順を表示する処理についての処理フローである。
なお、作業管理システム１が製品の組み立て手順を表示する処理についての処理を行う場合のユーザは、作業者である。
【００９５】
作業管理システム１は、ユーザによる操作に応じてステップＳ１、ステップＳ１２〜ステップＳ１４の処理を実行する。
【００９６】
ユーザは、画像表示部１０１に表示されているネジをタッチする操作を行う。
画像表示部１０１は、ユーザによるネジへのタッチに応じて、ネジの組み立て情報をリンク先のリンク情報ＤＢ５０から読み出す（ステップＳ２４）。
画像表示部１０１は、読み出したネジの組み立て情報を表示する（ステップＳ２５）。
【００９７】
ユーザは、組立作業を行う。
作業管理部１０８は、チェックシートの画像を用いた作業内容の記録の開始時刻と終了時刻を登録する。作業管理部１０８は、ユーザ操作に基づいて、チェックシートの画像の識別情報を指定した作業時間の表示指示を受け付けた場合には、チェックシートの画像について登録された開始時刻と終了時刻に基づいて算出した作業時間を出力してもよい。
【００９８】
以上、本発明の一実施形態による作業管理システム１の処理について説明した。作業管理システム１において、作業管理装置１０は、画像表示部１０１と、オブジェクト配置決定部１０２と、作業管理情報作成部１０３と、を備える。画像表示部１０１は、チェックシートの画像を取り込んで表示する。オブジェクト配置決定部１０２は、チェックシートの画像を用いた作業内容の記録に利用する記録領域を示すオブジェクトのチェックシートの画像上への配置をユーザ操作に基づいて決定する。作業管理情報作成部１０３は、オブジェクトの識別情報と、オブジェクトのチェックシートの画像における位置と、チェックシートの画像の識別情報とを対応付けた作業管理情報を登録する。
このようにすれば、作業管理装置１０は、従来から製品の製造時の検査に利用されているチェックシートを利用しつつ、検査に関する作業管理の効率化を図ることができる。
【００９９】
なお、本発明の実施形態における処理フローは、適切な処理が行われる範囲において、処理の順番が入れ替わってもよい。
【０１００】
本発明における記憶部１０４、その他の記憶部（例えば、ログイン情報データベース２０、チェックシート情報データベース３０、組立手順情報データベース４０、リンク情報データベース５０）のそれぞれは、適切な情報の送受信が行われる範囲においてどこに備えられていてもよい。また、記憶部１０４、その他の記憶部のそれぞれは、適切な情報の送受信が行われる範囲において複数存在しデータを分散して記憶していてもよい。
【０１０１】
本発明の実施形態について説明したが、上述の作業管理装置１０は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【０１０２】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【０１０３】
本発明のいくつかの実施形態を説明したが、これらの実施形態は、例であり、発明の範囲を限定しない。これらの実施形態は、発明の要旨を逸脱しない範囲で、種々の省略、置き換え、変更を行ってよい。
【符号の説明】
【０１０４】
１・・・作業管理システム
１０・・・作業管理装置
２０・・・ログイン情報データベース
３０・・・チェックシート情報データベース
４０・・・組立手順情報データベース
５０・・・リンク情報データベース
１０１・・・画像表示部
１０２・・・オブジェクト配置決定部
１０３・・・作業管理情報作成部
１０４・・・記憶部
１０５・・・通信部
１０６・・・ログイン処理部
１０７・・・チェックシート検索処理部
１０８・・・作業管理部
１０９・・・リンク情報処理部
１１０・・・ページ入替処理部
１１１・・・作業検索処理部
１１２・・・仕様判定部
【図１】
0006663731.tif 000002
【図２】
0006663731.tif 000003
【図３】
0006663731.tif 000004
【図４】
0006663731.tif 000005
【図５】
0006663731.tif 000006
【図６】
0006663731.tif 000007
【図７】
0006663731.tif 000008
【図８】
0006663731.tif 000009
【図９】
0006663731.tif 000010
【図１０】
0006663731.tif 000011
【図１１】
0006663731.tif 000012
【図１２】
0006663731.tif 000013
【図１３】
0006663731.tif 000014
【図１４】
0006663731.tif 000015
【図１５】
0006663731.tif 000016
【図１６】
0006663731.tif 000017
【図１７】
0006663731.tif 000018
【図１８】
0006663731.tif 000019